(57)【要約】      （修正有）【解決手段】スタンドボードは、ボード本体２０と、ボード本体２０を支持する脚部材３０とを備える。ボード本体２０は、Ｚ軸方向に延在する貫通孔ＨＬ１が形成されている下側のかまち部材２６ｈと、ボード本体２０の内側において下側のかまち部材２６ｈに設けられている板ナット４０とを備える。固定ボルト３８は、貫通孔ＨＬ１を通して板ナット４０および脚部材３０の各々と結合している。【効果】ボード本体を支持する支持部材の取付け部分における前後方向のサイズを抑制でき、かつ当該取付け部分においてボード本体が破損する懸念を軽減できる。【選択図】図３
2020040354.tif 000002
【特許請求の範囲】
【請求項１】
ボード本体と、前記ボード本体を支持する支持部材とを備えるボードであって、
前記ボード本体は、
前記ボード本体の主面に沿う方向に延在する貫通孔が形成されているかまち部材と、
前記ボード本体の内側において前記かまち部材に設けられている基材とを備え、
前記貫通孔を通して前記基材および前記支持部材の各々と結合している結合部材をさらに備える、ボード。
【請求項２】
前記基材および前記結合部材の各々の硬度は、前記かまち部材の硬度を上回る、請求項１に記載のボード。
【請求項３】
前記結合部材は前記基材と別体であり、
前記基材は前記貫通孔の外側に設けられており、
前記結合部材の先端は前記貫通孔から突出して前記基材と結合している、請求項１または２に記載のボード。
【請求項４】
前記貫通孔は所定距離を隔てて配されている複数の貫通孔であり、
前記基材は前記所定距離を上回る長さを有して前記複数の貫通孔を跨ぐように設けられており、
前記結合部材は前記複数の貫通孔の各々を介して前記基材と結合している、請求項１ないし３のいずれかに記載のボード。
【発明の詳細な説明】
【技術分野】
【０００１】
この発明は、ボードに関し、特に、ボード本体と、当該ボード本体を支持する支持部材とを備える、ボードに関する。
【背景技術】
【０００２】
この種のボードが、特許文献１および２に開示されている。特許文献１によれば、ボード本体の下端縁に、下枠が取付けられる。ボード本体を支持する支持脚は、当該下枠に取付けられる。また、特許文献２によれば、パネルの側端に、縦杆が取り付けられる。当該縦杆の下端には前脚が連設され、当該前脚の内面上部には後脚の上端部が固着される。
【先行技術文献】
【特許文献】
【０００３】
【特許文献１】特開２００５−１４４６８９号公報
【特許文献２】特開２００７−２１７８６号公報
【発明の概要】
【発明が解決しようとする課題】
【０００４】
しかし、特許文献１では、支持脚は、ボード本体の前後方向から挟み込むようにして下枠に取り付けられる。このため、ボード本体の下部におけるボードの前後方向のサイズが増大するという問題がある。また、特許文献２では、どのようにしてパネルに縦杆を取り付けるかが不明である。ここで、縦杆を通してパネルにボルトを捩じ込むような取付け構造では、ボードの左右方向のサイズが増大するという問題がある。
【０００５】
それゆえに、この発明の主たる目的は、ボード本体を支持する支持部材の取付け部分におけるサイズを抑制できる、ボードを提供することである。
【課題を解決するための手段】
【０００６】
この発明に係るボード(10：実施形態で相当する参照符号。以下同じ)は、ボード本体(20)と、ボード本体を支持する支持部材(30)とを備えるボード(10)であって、ボード本体は、ボード本体の主面に沿う方向に延在する貫通孔(HL1)が形成されているかまち部材(26h)と、ボード本体の内側においてかまち部材に設けられている基材(40, 40’)とを備え、貫通孔を通して基材および支持部材の各々と結合している結合部材(38, 38’)をさらに備える。
【０００７】
好ましくは、基材および結合部材の各々の硬度は、かまち部材の硬度を上回る。
【０００８】
好ましくは、結合部材は基材と別体であり、基材は貫通孔の外側に設けられており、結合部材の先端は貫通孔から突出して基材と結合している。
【０００９】
好ましくは、貫通孔は所定距離(D1)を隔てて配されている複数の貫通孔であり、基材は所定距離を上回る長さを有して複数の貫通孔を跨ぐように設けられており、結合部材は複数の貫通孔の各々を介して基材と結合している。
【発明の効果】
【００１０】
かまち部材に形成された貫通孔は、ボード本体の主面に沿う方向に延在し、結合部材は、当該貫通孔を通される。これによって、支持部材の取付け部分におけるサイズを抑制できる。また、基材はボード本体の内側においてかまち部材に設けられ、結合部材は、当該基材と結合している。この結果、結合部材がかまち部材に及ぼす負荷によりボード本体が破損する懸念を軽減できる。
【００１１】
この発明の上述の目的，その他の目的，特徴および利点は、図面を参照して行う以下の実施形態の詳細な説明から一層明らかとなろう。
【図面の簡単な説明】
【００１２】
【図１】本実施形態のスタンドボードを斜め上から眺めた状態を示す斜視図である。
【図２】本実施形態のスタンドボードを分解した状態を示す分解斜視図である。
【図３】ボード本体に対する脚の取付け構造を示す図解図である。
【図４】板ナットの一例を示す斜視図である。
【図５】（Ａ）はナットに対するボルトの締付け強度が適正である状態を示す図解図であり、（Ｂ）はナットに対するボルトの締付け強度が強すぎる状態を示す図解図である。
【図６】他の実施形態に適用される結合部材の一例を示す斜視図である。
【発明を実施するための形態】
【００１３】
図１を参照して、本実施形態のスタンドボード１０は、ボード本体２０と、ボード本体２０を支持する脚部材（支持部材）３０とを備える。なお、以下では、説明の便宜上、スタンドボード１０の幅方向にＸ軸を割り当て、スタンドボード１０の厚み方向にＹ軸を割り当て、スタンドボード１０の高さ方向にＺ軸を割り当てる。このとき、スタンドボード１０の前面はＹ軸方向における負側を向き、スタンドボード１０の後面はＹ軸方向における正側を向く。
【００１４】
図２に示すように、ボード本体２０の内枠２６は、ボード本体２０の幅に対応する距離を隔ててＺ軸方向に延在する２つのかまち部材２６ｔと、ボード本体２０の高さに対応する距離を隔ててＸ軸方向に延在する２つのかまち部材２６ｈとによって構成される。ここで、かまち部材２６ｔおよび２６ｈは木製であり、幅および厚みはいずれも、かまち部材２６ｔおよび２６ｈの間で略一致する。
【００１５】
ただし、厳密には、下側に配されているかまち部材２６ｈの幅（Ｚ軸方向のサイズ）は、上側に配されているかまち部材２６ｈの幅（Ｚ軸方向のサイズ）を若干上回る。また、下側のかまち部材２６ｈについては、上端部（Ｚ軸方向における正側端部）の厚み（Ｙ軸方向のサイズ）が、他の部分の厚みよりも薄くされる（図５（Ａ）、図５（Ｂ）参照）。
【００１６】
図３をさらに参照して、下側のかまち部材２６ｈの上端面（Ｚ軸方向における正側を向く面）のうち、Ｘ軸方向における正側端部および負側端部の各々には、Ｘ軸方向において距離Ｄ１を隔てた２つの位置をＺ軸方向に延在する２つの貫通孔ＨＬ１が形成される。また、板ナット（基材）４０は、距離Ｄ１を上回る長さを有するスチール製の基材であり、当該２つの貫通孔ＨＬ１を跨ぐように、下側のかまち部材２６ｈの上端面に取付けられる。
【００１７】
図４を参照してより具体的に説明すると、板ナット４０の長さ（Ｘ軸方向のサイズ）は、距離Ｄ１を若干上回り、板ナット４０の幅（Ｙ軸方向のサイズ）は、下側のかまち部材２６ｈの上端部における厚みと略一致し、板ナット４０の厚み（Z軸方向のサイズ）は、板ナット４０の幅を大きく下回る。
【００１８】
板ナット４０の主面（Ｚ軸方向における正側または負側を向く面）には、Ｘ軸方向において距離Ｄ１を隔てた２つの位置をＺ軸方向に延在する２つの貫通孔４０ｈ１が形成される。なお、２つの貫通孔４０ｈ１の各々の内周面には、雌ねじが形成される。
【００１９】
板ナット４０の主面にはまた、Ｘ軸方向において距離Ｄ２を隔てた２つの位置をＺ軸方向に延在する２つの貫通孔４０ｈ２が形成される。ここで、距離Ｄ２は距離Ｄ１を下回り、２つの貫通孔４０ｈ２が形成される位置は、２つの貫通孔４０ｈ１によって挟まれる位置とされる。
【００２０】
板ナット４０は、２つの貫通孔４０ｈ１が２つの貫通孔ＨＬ１とそれぞれ連通するように、下側のかまち部材２６ｈの上端面に配される。固定ネジ４２は、この状態で、Ｚ軸方向における正側から２つの貫通孔４０ｈ２の各々に挿入される。挿入された固定ネジ４２の先端は、Ｚ軸方向における負側から突出して、下側のかまち部材２６ｈにねじ込まれる。この結果、板ナット４０が、下側のかまち部材２６ｈの上端面のうち、X軸方向における正側端部および負側端部の各々に取付けられる。
【００２１】
図２に戻って、外枠２４は、かまち部材２６ｈに形成された合計４つの貫通孔ＨＬ１とそれぞれ連通する４つの貫通孔（図示省略）を有して、内枠２６の外縁に設けられる。また、板材２８は発泡性の材料で作製され、内枠２６よりも内側の中空部に配される。Ｙ軸方向から眺めたとき、板材２８のサイズは、内枠２６によって囲まれる領域のサイズと略一致する。また、板材２８の厚み（Ｙ軸方向のサイズ）は、かまち部材２６ｈおよび２６ｔの各々の厚みと略一致する。
【００２２】
パネル２２の主面のサイズは、外枠２４によって囲まれる領域のサイズと略一致し、パネル２２の厚み（Ｙ軸方向のサイズ）は、かまち部材２６ｈおよび２６ｔの各々の厚みよりも格段に薄い。パネル２２は、Ｙ軸方向から眺めて内枠２６および板材２８を覆うように、ボード本体２０の前面および後面の各々に設けられる。
【００２３】
なお、パネル２２としては、筆記可能なホワイトボードや、ピン留め可能なクロスなどが想定される。また、前面のパネル２２としてホワイトボードを採用し、後面のパネル２２としてクロスを採用するようにしてもよい。
【００２４】
図３を参照して、ボード本体２０の下端面（Ｚ軸方向における負側を向く面）のうち、Ｘ軸方向における正側端部および負側端部の各々には、脚部材３０が取付けられる。Ｘ軸方向の正側から眺めて、脚部材３０は、逆Ｓ字状に湾曲する前脚３２ｆと、Ｓ字状に湾曲する後脚３２ｂとを備える。前脚３２ｆの先端には前輪３６ｆが取付けられ、後脚３２ｂの先端には後輪３６ｂが取付けられる。前脚３２ｆおよび後脚３２ｂの各々の基端は、脚座板３４と結合される。なお、前脚３２ｆ、後脚３２ｂおよび脚座板３４はいずれもスチール製であり、一体形成される。
【００２５】
脚座板３４の長さ（Ｘ軸方向のサイズ）は、距離Ｄ１を若干上回り、脚座板３４の幅（Ｙ軸方向のサイズ）は、ボード本体２０の幅（Ｙ軸方向のサイズ）を僅かに下回る。脚座板３４の主面（Ｚ軸方向における正側または負側を向く面）には、Ｘ軸方向において距離Ｄ１を隔てた２つの位置をＺ軸方向に延在する２つの貫通孔３４ｈが形成される。前脚３２ｆおよび後脚３２ｂの各々の基端の結合位置は、２つの貫通孔３４ｈによって挟まれる位置とされる。
【００２６】
脚部材３０は、２つの貫通孔４０ｈ１が２つの貫通孔ＨＬ１とそれぞれ連通するように、ボード本体２０の下端面に配される。スチール製の固定ボルト（結合部材）３８は、この状態で、Ｚ軸方向における負側から２つの貫通孔３４ｈの各々に挿入される。挿入された固定ボルト３８の先端は、貫通孔ＨＬ１の上端（Ｚ軸方向における正側端部）から突出し、板ナット４０の貫通孔４０ｈ１と螺合する。即ち、固定ボルト３８の先端に形成された雄ねじが、貫通孔４０ｈ１の内周面に形成された雌ねじと係合する。この結果、脚部材３０が、ボード本体２０の下端面のうち、Ｘ軸方向における正側端部および負側端部の各々に取付けられる。
【００２７】
なお、図５（Ａ）および図５（Ｂ）に示すように、下側のかまち部材２６ｈについては、上端部の厚みが他の部分の厚みよりも薄くされる。このため、固定ボルト３８の締付け強度が強すぎてかまち部材２６ｈの上端部が膨らんだとしても（図５（Ｂ）参照）、上端部の表面がパネル２２に接触することはなく、パネル２２の平坦度が損なわれることもない。
【００２８】
以上の説明から分かるように、スタンドボード１０は、ボード本体２０と、ボード本体２０を支持する脚部材３０とを備える。また、ボード本体２０は、Ｚ軸方向に延在する貫通孔ＨＬ１が形成されている下側のかまち部材２６ｈと、ボード本体２０の内側において下側のかまち部材２６ｈに設けられている板ナット４０とを備える。これを踏まえて、固定ボルト３８は、貫通孔ＨＬ１を通して板ナット４０および脚部材３０の各々と結合している。
【００２９】
Ｚ軸方向に延在する貫通孔ＨＬ１に固定ボルト３８を通すことで、脚部材３０の取付け部分におけるスタンドボード１０の前後方向のサイズを抑制することができる。また、固定ボルト３８を板ナット４０と結合することで、固定ボルト３８が下側のかまち部材２６ｈに及ぼす負荷によりボード本体２０が破損する懸念を軽減することができる。
【００３０】
また、スチール製の固定ボルト３８および板ナット４０の硬度は、木製のかまち部材２６ｈの硬度を上回るところ、固定ボルト３８の先端は貫通孔ＨＬ１の一方端から突出して、板ナット４０と係合する。これによって、固定ボルト３８の先端に過負荷が掛かり、かまち部材２６ｈが破損する懸念が軽減される。
【００３１】
さらに、板ナット４０は、距離Ｄ１を上回る長さを有してかまち部材２６ｈに取付けられ、２つの固定ボルト３８が１つの板ナット４０と係合する。この結果、固定ボルト３８の締付けによって板ナット４０がかまち部材２６ｈを歪ませる懸念が軽減される。
［変形例］
（１）上述の実施形態では、固定ボルト３８が板ナット４０と別体とされる。しかし、図６に示すように、先端に雄ねじが形成された２つの柱状部材３８´と板状部材４０´とを一体形成した結合部材５０を、固定ボルト３８および板ナット４０の代わりに採用するようにしてもよい。
【００３２】
この場合、２つの柱状部材３８´は、ボード本体２０の内側から２つの貫通孔ＨＬ１にそれぞれ挿入される。柱状部材３８´の先端を脚座板３４の貫通孔３４ｈに通し、貫通孔３４ｈの下側に突出した先端に図示しないナットを螺合することで、脚部材３０がボード本体２０に取付けられる。
【００３３】
（２）上述の実施形態では、貫通孔ＨＬ１をＺ軸方向に延在させるようにしているが、貫通孔ＨＬ１は、ＺＸ平面に沿って延在する限り、Ｚ軸方向に対して斜め方向に延在させるようにしてもよい。
【００３４】
（３）上述の実施形態では、ボード本体２０を支持する支持部材として脚部材３０を想定している。しかし、ボード本体２０を壁に取り付ける場合、腕部材が支持部材として想定される。また、腕部材によってボード本体２０を支持する場合、貫通孔ＨＬ１および板ナット４０は、左右のかまち部材２６ｔに設ける必要がある。
【００３５】
（４）上述の実施形態では、かまち部材２６ｈおよび２６ｔは木製であるが、かまち部材２６ｈおよび２６ｔは合成樹脂製であってもよい。
【符号の説明】
【００３６】
１０  …スタンドボード
２０  …ボード本体
２２  …パネル
２４  …外枠
２６  …内枠
２６ｈ、２６ｔ  …かまち部材
２８  …板材
３０  …支持部材
３２ｆ  …前脚
３２ｂ  …後脚
３４  …脚座板
３６ｆ  …前輪
３６ｂ  …後輪
３８  …固定ボルト
３８´  …柱状部材
４０  …板ナット
４０´  …板状部材
４２  …固定ネジ
５０  …結合部材
【図１】
2020040354.tif 000003
【図２】
2020040354.tif 000004
【図３】
2020040354.tif 000005
【図４】
2020040354.tif 000006
【図５】
2020040354.tif 000007
【図６】
2020040354.tif 000008